(57)【要約】      （修正有）【課題】マンコンベアの踏段とスカートガードの隙間に人または物が挟まれた時、挟まれた位置に関係なく直ちに検出できるマンコンベア安全装置を提供する。【解決手段】マンコンベア安全装置は、主枠１に沿って多数が連結されて循環移動する踏段５の側面に対向するスカートガード４と、一端が上記主枠１に固定され他端が上記スカートガード４に向かって延びる主枠アングル１１と、上記スカートガード４の主枠側の面に固定されるとともに上記主枠アングル１１に幅方向に移動可能に支持され移動方向に平行に延びるスカートガード取り付けアングル１２と、上記スカートガード取り付けアングルが幅方向のマイナスに所定の距離移動したとき作動する検出器１３と、上記スカートガード取り付けアングル１２を幅方向のプラスに押圧する作動圧力調整用スプリング１４と、を備える。【選択図】図３
2008201566.tif 000002
【特許請求の範囲】
【請求項１】
主枠に沿って多数が連結されて循環移動する踏段の側面に対向するスカートガードと、
一端が上記主枠に固定され他端が上記スカートガードに向かって延びる主枠アングルと、
上記スカートガードの主枠側の面に固定されるとともに上記主枠アングルに幅方向に移動可能に支持され移動方向に平行に延びるスカートガード取り付けアングルと、
上記スカートガード取り付けアングルが幅方向のマイナスに所定の距離移動したとき作動する検出器と、
上記スカートガード取り付けアングルを幅方向のプラスに押圧する作動圧力調整用スプリングと、
を備えることを特徴とするマンコンベア安全装置。
【発明の詳細な説明】
【技術分野】
【０００１】
この発明は、エスカレータや歩く歩道などのマンコンベアの踏段とスカートガードとの隙間に人または物が挟まれたことを検出するマンコンベア安全装置に関するものである。
【背景技術】
【０００２】
従来のエスカレータ安全装置は、スカートガードを欄干の基部に設け移動する踏段の側面に対面して配置し、また補強材をスカートガードの裏面に設けて長手に沿って配置する。そして、検出器を欄干の固定部に装着して作動部をスカートガードの裏面に対向して配置し、また補強材に低剛性部を形成して検出器位置に対応した位置に配置する。これによって、踏段上の乗客の靴等の異物が踏段とスカートガードの隙間に挟まって低剛性部を移動する際に、スカートガードが適度に撓み検出器が確実に動作する（例えば、特許文献１参照）。
【０００３】
【特許文献１】特開２００３−１２２６１号公報
【発明の開示】
【発明が解決しようとする課題】
【０００４】
しかし、従来のエスカレータ安全装置では、検出器が取付けられている位置から離れた位置で人または物が挟まれた場合には、挟まれたことを検出することができないという問題がある。
また、スカードガードおよび補強材の撓みを利用することにより、検出器を作動させる構造としているため、補強材の取付け板相互間の一定部分でのみ検出が可能となっている。このため、踏段とスカートガードの隙間に人又は物が挟まれた場合、挟まれたままの状態で検出器が取付けられている位置まで運転が継続されるため、被害を拡大させる問題がある。
また、作動範囲を広げるために多数の検出器を取付けた場合でも、固定式のスカートガードと補強板であるため、補強板の取付け板がある位置では、スカートガードと補強板は撓まないので検出器を作動させる事は出来なかった。
【０００５】
この発明の目的は、マンコンベアの踏段とスカートガードの隙間に人または物が挟まれた時、挟まれた位置に関係なく直ちに挟まれたことを検出できるマンコンベア安全装置を提供することである。
【課題を解決するための手段】
【０００６】
この発明に係るマンコンベア安全装置は、主枠に沿って多数が連結されて循環移動する踏段の側面に対向するスカートガードと、一端が上記主枠に固定され他端が上記スカートガードに向かって延びる主枠アングルと、上記スカートガードの主枠側の面に固定されるとともに上記主枠アングルに幅方向に移動可能に支持され移動方向に平行に延びるスカートガード取り付けアングルと、上記スカートガード取り付けアングルが幅方向のマイナスに所定の距離移動したとき作動する検出器と、上記スカートガード取り付けアングルを幅方向のプラスに押圧する作動圧力調整用スプリングと、を備える。
【発明の効果】
【０００７】
この発明に係るマンコンベア安全装置の効果は、スカートガード取り付けアングルが主枠アングルに対して幅方向に移動可能に支持されているので、スカートガードと踏段の側面との間に人または物が挟まれるとスカートガード取り付けアングルが幅方向に全域に亘って移動する。その結果、人または物が挟まれた位置に関係なく検出器が作動するので、マンコンベアの全域に亘って挟まれたことを検出することができることである。
【発明を実施するための最良の形態】
【０００８】
実施の形態１．
図１は、この発明に係るエスカレータ安全装置が配置されたエスカレータの踏段の移動方向の断面図である。図２は、この発明に係るエスカレータ安全装置の上から見た平面図である。図３は、この発明に係るエスカレータ安全装置の踏段の移動方向に見た側面図である。
この発明に係るマンコンベア安全装置として、エスカレータに適用するエスカレータ安全装置を例に上げて説明するが、歩く歩道など他のマンコンベアにも適用できる。
【０００９】
この発明に係るエスカレータ安全装置が配設されたエスカレータは、図１に示すように、エスカレータの主枠１、主枠１の長手に沿う両側に立設された欄干２、欄干２の基部に設けられたデッキボード３、欄干２の基部に設けられてデッキボード３の下側に配置されたスカートガード４、および主枠１に沿って多数が連結されて循環移動する踏段５を備える。なお、以下の説明で使用するために、踏段５が主枠１に沿って循環移動する方向を移動方向、移動方向に垂直な方向を幅方向と称す。そして、スカートガード４が主枠１に近づくよう移動するときスカートガード４が幅方向のマイナスに移動し、スカートガード４が主枠１から遠ざかるよう移動するときスカートガード４が幅方向のプラスに移動すると称す。
【００１０】
この発明に係るエスカレータ安全装置は、図２と図３に示すように、複数のスカートガード４、一端が主枠１に固定され他端がスカートガード４に向かって延びる主枠アングル１１、スカートガード４の主枠１側の面に固定されるとともに主枠アングル１１に幅方向に移動可能に支持され移動方向に平行に延びるスカートガード取り付けアングル１２、スカートガード取り付けアングル１２が幅方向のマイナスに所定の距離移動したとき作動する検出器１３、スカートガード取り付けアングル１２を幅方向のプラスに押圧する作動圧力調整用スプリング１４を備える。
【００１１】
スカートガード取り付けアングル１２は、Ｌ字アングルであり、Ｌ字アングルの一方の辺がスカートガード４に固定され、Ｌ字アングルの他方の辺がボルト１６とナット１７により上下方向に支持されている。このＬ字アングルの他方のバーには、幅方向が長手の長穴１８が開けられている。そして、ボルト１６とナット１７によりＬ字アングルが上下方向にはほとんど動かないが、幅方向には長穴１８とボルト１６の径の差だけ動く。
【００１２】
検出器１３は、本体が主枠アングル１１に固定されている。また、検出器１３は、押されると幅方向に移動する検知部２１を有し、検知部２１が所定の距離押し込まれると検出器１３が作動する。
検出器１３の検知部２１の幅方向の延長線上に作動片２２がスカートガード取り付けアングル１２に固定されている。スカートガード取り付けアングル１２が、スカートガード４と踏段５との間に人または物が挟まれることにより、マイナスに移動すると、作動片２２も一体としてマイナスに移動する。作動片２２の幅方向の延長線上には検出器１３の検知部２１があるので、作動片２２が移動すると検知部２１が押される。その結果、スカートガード４が所定の距離マイナスに移動すると、検出器１３が作動する。
【００１３】
作動圧力調整用スプリング１４は、一端が主枠アングル１１に固定されたスプリング受２４に当接し、他端はスカートガード取り付けアングル１２に当接している。
スカートガード取り付けアングル１２は、スカートガード４と踏段５の側面との間に人または物が挟まれていないとき、作動圧力調整用スプリング１４により幅方向にプラスに押圧することにより、作動片２２と検出器１３の検知部２１との間に隙間があるよう設定されている。
【００１４】
なお、スカートガード４には、スカートガード取り付けアングル１２の上方にスカートガード取り付けアングル１２と略平行にスカートガード支持アングル２６が固定されている。このスカートガード支持アングル２６は、一端が主枠１に固定され主枠アングル１１の上方に位置する主枠アングル２７の他端に固定されている。
【００１５】
次に、スカートガード４と踏段５との間に人または物が挟まれたとき、この発明に係るエスカレータ安全装置により挟まれたことを検出する動作を説明する。
最初にスカートガード４と踏段５との間に人または物が挟まれていないときの様子を説明する。スカートガード４と踏段５の側面との間の隙間は、スカートガード取り付けアングルが伸びきった作動圧力調整用スプリング１４の他端に当接しており、所定の距離で維持されている。
この状態にあるスカートガード４と踏段５との間に人または物が挟まれると、隙間が拡がり、スカートガード取り付けアングル１２は作動圧力調整用スプリング１４のバネ圧に抗して幅方向にマイナスに移動する。スカートガード取り付けアングル１２は、２箇所で作動圧力調整用スプリング１４を押圧するので、挟まれた位置と作動圧力調整用スプリング１４の作用点との距離に反比例して幅方向にマイナスに移動する。
そして、スカートガード取り付けアングル１２が幅方向にマイナスに移動すると、スカートガード取り付けアングル１２に固定された作動片２２が幅方向のマイナスに移動し、作動片２２が幅方向にマイナスに移動すると検知部２１が押される。その結果、スカートガード４が所定の距離マイナスに移動すると、検出器１３が作動する。
【００１６】
この発明に係るエスカレータ安全装置は、スカートガード取り付けアングル１２が主枠アングル１１に対して幅方向に移動可能に支持されているので、スカートガード４と踏段５の側面との間に人または物が挟まれるとスカートガード取り付けアングル１２が幅方向に全域に亘って移動する。その結果、人または物が挟まれた位置に関係なく検出器１３が作動するので、エスカレータの全域に亘って人または物が挟まれたことを検出することができる。
【００１７】
また、スカートガード取り付けアングル１２は人または物が挟まれるとすぐに幅方向に移動するので、遅れなく挟まれたことを検出することができる。
また、スカートガード取り付けアングル１２は水平移動するので、検出器１３をスカートガード取り付けアングル１２の如何なる位置にも設置することができる。それゆえ、この実施の形態においては、検出器１３を作動圧力調整用スプリング１４と同じ主枠アングル１１に配置したが、異なる主枠アングル１１に別々に配置しても良い。
【００１８】
また、スカートガード取り付けアングル１２の移動距離は、作動圧力調整用スプリング１４のバネ圧に反比例するので、作動圧力調整用スプリング１４のバネ圧を適宜設定することにより、用途に応じた検出ができる。
【図面の簡単な説明】
【００１９】
【図１】この発明に係るエスカレータ安全装置が配置されたエスカレータの踏段の移動方向の断面図である。
【図２】この発明に係るエスカレータ安全装置の上から見た平面図である。
【図３】この発明に係るエスカレータ安全装置の踏段の移動方向に見た側面図である。
【符号の説明】
【００２０】
１  主枠、２  欄干、３  デッキボード、４  スカートガード、５  踏段、１１  主枠アングル、１２  スカートガード取り付けアングル、１３  検出器、１４  作動圧力調整用スプリング、１６  ボルト、１７  ナット、１８  長穴、２１  検知部、２２  作動片、２４  スプリング受、２６  スカートガード支持アングル、２７  主枠アングル。
【図１】
2008201566.tif 000003
【図２】
2008201566.tif 000004
【図３】
2008201566.tif 000005